(57)【要約】【課題】空転間隙が存在する場合であっても室内側から施錠か解錠か判り易い在室確認錠の構造を提供する。【解決手段】在室確認錠の構造において、開閉体の表裏に設けた一方の操作部材（合鍵）及び他方の操作部材（サムターンカバー４３）の回転操作によって施解錠作動する錠装置と、錠装置に取り付けられ他方の操作部材の一部を覆うとともに表示窓部４５を有するケース４１と、他方の操作部材に設けられ一方の操作部材の回転操作範囲よりも大きい回転操作範囲を許容する空転間隙５１と、他方の操作部材に設けられて表示窓部４５から表出し他方の操作部材が空転間隙５１の一方の回転端を一方の操作部材連動部に当接して回転したときに円周方向一端７５が表示窓部４５に一致するとともに空転間隙５１の他方の回転端を一方の操作部材連動部に当接して回転したときに円周方向他端７７が表示窓部４５に一致する周長を有する解錠表示着色部７１と、を設けた。【選択図】  図１３
2014136950.tif 000002
【特許請求の範囲】
【請求項１】
開閉体の表裏に設けた一方の操作部材及び他方の操作部材の回転操作によって施解錠作動する錠装置と、
前記錠装置に取り付けられ前記他方の操作部材の一部を覆うとともに表示窓部を有するケースと、
前記他方の操作部材に設けられ前記一方の操作部材の回転操作範囲よりも大きい回転操作範囲を許容する空転間隙と、
前記他方の操作部材に設けられて前記表示窓部から表出し前記他方の操作部材が前記空転間隙の一方の回転端を一方の操作部材連動部に当接して回転したときに円周方向一端が前記表示窓部に一致するとともに前記空転間隙の他方の回転端を前記一方の操作部材連動部に当接して回転したときに円周方向他端が前記表示窓部に一致する周長を有する解錠表示着色部と、
を具備することを特徴とする在室確認錠の構造。
【請求項２】
請求項１記載の在室確認錠の構造であって、
前記一方の操作部材がシリンダ錠の合鍵であり、
前記他方の操作部材がサムターンであり、
前記サムターンが円柱形、角柱形、または錐台形の輪郭を有することを特徴とする在室確認錠の構造。
【請求項３】
請求項１記載の在室確認錠の構造であって、
前記一方の操作部材がシリンダ錠の合鍵であり、
前記他方の操作部材が既存サムターンに被せられるサムターンカバーであり、
前記サムターンカバーが円柱形、角柱形、または錐台形の輪郭を有することを特徴とする在室確認錠の構造。
【請求項４】
請求項１，２，３のいずれか１つに記載の在室確認錠の構造であって、
前記錠装置の室内側からの施錠操作を検出する施錠検出部と、
前記施錠検出部の検出に応じ時間の計測を開始し所定時間経過後に時間経過信号を出力する計時手段と、
前記錠装置の室外表出部材に設けられる報知手段と、
前記時間経過信号の入力によって前記報知手段を駆動する制御手段と、
を具備することを特徴とする在室確認錠の構造。
【発明の詳細な説明】
【技術分野】
【０００１】
本発明は、在室確認錠の構造に関する。
【背景技術】
【０００２】
独居者や独居老人など、コミュニティから孤立しがちな人の非常事態を未然に防ぐために、宅内（室内）での状態を、外部に知らせる手段に関しては近年、種々の提案がなされるようになってきている。例えば、特許文献１の生活モニターシステムは、家庭内の日常に使う電気ポットを検知センサとして、その使用頻度等を監視し、未使用時間が長くなった場合に、ネットワークを通じて外部に報知する。
【０００３】
また、特許文献２の安否確認システムは、部屋に備え付けの機器、器具、扉などにセンサを取り付け、または人感知センサを屋内に設け、これらを監視する。この監視により、部屋内（宅内）での状況を、例えば使用回数をカウントすることによって、安否確認（モニタリング）を行い、異常発生などの際には、外部へ電話などで報知する。
【０００４】
ところが、上記した従来の生活モニターシステムや安否確認システムは、いずれも、通信などネットワークを使用することを前提としており、規模が大きく、簡単に導入できない。また、不在である場合、システムの検知動作を解除しておかないと、動作し続けてミス検知を行い、誤報を出力してしまう問題がある。そこで、扉に配設される錠装置のみで完結し、安価に構成することができる在室確認錠装置が提案されている（特許文献３参照）。
【０００５】
この在室確認錠装置は、錠装置の既存サムターンの操作を検出する操作検出部材（サムターンカバー）を有する。サムターンカバーは、既存サムターンに取り付けられ、内方で既存サムターンを可動させる検出排除空間部（つまり、遊び）を有している。この検出排除空間部によって室外側からのシリンダ錠の施錠操作が検出から除外される。例えばシリンダ錠の施錠操作が行われる外出時等には、検出動作をキャンセルするための解除操作が不要となる。これにより、他の大掛かりな装置を不要にして、錠装置の室内側からの施錠操作のみを検出可能としている。
【先行技術文献】
【特許文献】
【０００６】
【特許文献１】特開２００２−７８０３４号公報
【特許文献２】特開２００１−３５７４７５号公報
【特許文献３】特開２０１２−１４４９５０号公報
【発明の概要】
【発明が解決しようとする課題】
【０００７】
しかしながら、上記の在室確認錠装置は、室内側からサムターンカバーを施解錠操作するとき、通常の既存サムターンでは回転角度が９０°であるのに対し、検出排除空間部（空転間隙）が存在することで、回転角度が９０°＋α°、例えばα°が略３０°とされて略１２０°となる。このため、特に翼状摘み部を有するサムターンカバーの場合、すなわち、施解錠の操作を容易とするための摘みやすい形状として翼状摘み部を備えるサムターンカバーとした場合に、この翼状摘み部が垂直、水平位置からさらに回転して傾斜し、施錠か解錠か判りにくくなることがある。
【０００８】
本発明は上記状況に鑑みてなされたもので、その目的は、空転間隙が存在する場合であっても室内側から施錠か解錠か判り易い在室確認錠の構造を提供することにある。
【課題を解決するための手段】
【０００９】
次に、上記の課題を解決するための手段を、実施の形態に対応する図面を参照して説明する。
本発明の請求項１記載の在室確認錠の構造は、開閉体の表裏に設けた一方の操作部材及び他方の操作部材の回転操作によって施解錠作動する錠装置と、
前記錠装置に取り付けられ前記他方の操作部材の一部を覆うとともに表示窓部４５を有するケース４１と、
前記他方の操作部材に設けられ前記一方の操作部材の回転操作範囲よりも大きい回転操作範囲を許容する空転間隙５１と、
前記他方の操作部材に設けられて前記表示窓部４５から表出し前記他方の操作部材が前記空転間隙５１の一方の回転端を一方の操作部材連動部に当接して回転したときに円周方向一端７５が前記表示窓部４５に一致するとともに前記空転間隙５１の他方の回転端を前記一方の操作部材連動部に当接して回転したときに円周方向他端７７が前記表示窓部４５に一致する周長を有する解錠表示着色部７１と、
を具備することを特徴とする。
【００１０】
この在室確認錠の構造では、室内側に配置される他方の操作部材の空転間隙５１に、一方の操作部材連動部が配置される。他方の操作部材は、一方の操作部材に対して空転間隙５１の分だけ大きく回転される。他方の操作部材には解錠表示着色部７１が所定の周長を有して設けられ、解錠表示着色部７１は表示窓部４５から表出可能となる。他方の操作部材が解錠回転すると、空転間隙５１の一方の回転端が一方の操作部材連動部に当接し、他方の操作部材とともに一方の操作部材連動部が解錠位置まで回転される。この回転が完了したとき、解錠表示着色部７１は、円周方向一端７５が表示窓部４５に一致する。これに対し、一方の操作部材が解錠回転すると、空転間隙５１の他方の回転端が一方の操作部材連動部に当接し、他方の操作部材とともに一方の操作部材連動部が解錠位置まで回転される。この回転が完了したとき、解錠表示着色部７１は、円周方向他端７７が表示窓部４５に一致する。
他方の操作部材が一方の操作部材連動部を回すときと、一方の操作部材連動部により他方の操作部材が回されたときとでは、空転間隙５１が存在するため、他方の操作部材の回転範囲は異なる。解錠表示着色部７１は、この回転範囲の一端側、他端側に他方の操作部材が位置しても表示窓部４５に一致する周長を有している。これにより、一方の操作部材と他方の操作部材との間に空転間隙５１が存在する場合であっても、錠装置の施解錠状態と同一の施錠表示と解錠表示とを色分けによって表示窓部４５に表示させることが可能となる。
【００１１】
本発明の請求項２記載の在室確認錠の構造は、請求項１記載の在室確認錠の構造であって、
前記一方の操作部材がシリンダ錠２５の合鍵３１であり、
前記他方の操作部材がサムターンであり、
前記サムターンが円柱形、角柱形、または錐台形の輪郭を有することを特徴とする。
【００１２】
この在室確認錠の構造では、一方の操作部材が合鍵３１であり、合鍵３１は、シリンダ錠２５の回転操作を可能とする。シリンダ錠２５は、テールピースを介して回転が錠装置へ伝えられる。錠装置に伝えられた回転は、錠装置の室内側に配設される一方の操作部材連動部へ伝えられる。一方の操作部材連動部にはサムターンが被せられ、サムターンは内方に設けられる空転間隙５１に一方の操作部材連動部を配置させる。つまり、在室確認錠は、錠装置とサムターンとを含んだ構成となる。また、サムターンが円柱形、角柱形、または錐台形の輪郭を有することで、操作の開始時に向きを意識しなくてよくなる。
【００１３】
本発明の請求項３記載の在室確認錠の構造は、請求項１記載の在室確認錠の構造であって、
前記一方の操作部材がシリンダ錠２５の合鍵３１であり、
前記他方の操作部材が既存サムターン３９に被せられるサムターンカバー４３であり、
前記サムターンカバー４３が円柱形、角柱形、または錐台形の輪郭を有することを特徴とする。
【００１４】
この在室確認錠の構造では、合鍵３１は、シリンダ錠２５の回転操作を可能とする。シリンダ錠２５は、テールピースを介して回転が錠装置へ伝えられる。錠装置に伝えられた回転は、錠装置の室内側に配設される一方の操作部材連動部へ伝えられる。ここでの一方の操作部材連動部は、既存サムターン３９となる。既存サムターン３９にはサムターンカバー４３が被せられ、サムターンカバー４３は内方に設けられる空転間隙５１に既存サムターン３９を配置させる。つまり、在室確認錠は、既存サムターン３９を備える錠装置と別体で構成が可能となる。また、サムターンカバー４３が円柱形、角柱形、または錐台形の輪郭を有することで、操作の開始時に向きを意識しなくてよくなる。
【００１５】
本発明の請求項４記載の在室確認錠の構造は、請求項１，２，３のいずれか１つに記載の在室確認錠の構造であって、
前記錠装置の室内側からの施錠操作を検出する施錠検出部と、
前記施錠検出部の検出に応じ時間の計測を開始し所定時間経過後に時間経過信号を出力する計時手段と、
前記錠装置の室外表出部材に設けられる報知手段と、
前記時間経過信号の入力によって前記報知手段を駆動する制御手段と、
を具備することを特徴とする。
【００１６】
この在室確認錠の構造では、錠装置の室内側からの施錠操作が施錠検出部によって検出されると、計時手段が時間の計測を開始する。計時手段は、所定時間が経過すると、時間経過信号を制御手段へ出力する。時間経過信号の入力された制御手段は、室外表出部材に設けられる報知手段を駆動して発報作動させる。
【発明の効果】
【００１７】
本発明に係る請求項１記載の在室確認錠の構造によれば、一方の操作部材と他方の操作部材との間に空転間隙が存在する場合であっても、他方の操作部材側である室内側から施錠か解錠か判り易くできる。
【００１８】
本発明に係る請求項２記載の在室確認錠の構造によれば、錠装置や、空転間隙の形成されるサムターンを機構の一部に含めた在室確認錠を一つの製品で構成できる。また、サムターンの向きによる判別が不要となり、表示窓部の色のみによって施錠か解錠かが表示され、混同が生じにくくなって明確な判別ができる。
【００１９】
本発明に係る請求項３記載の在室確認錠の構造によれば、錠装置とは別体の製品として在室確認錠を構成でき、既存の錠装置に後付することができる。また、サムターンカバーの向きによる判別が不要となり、表示窓部の色のみによって施錠か解錠かが表示され、混同が生じにくくなって明確な判別ができる。
【００２０】
本発明に係る請求項４記載の在室確認錠の構造によれば、室内側からの施錠操作のみを検知でき、入室し施錠を行った時間からの計測を開始して、所定時間経過後には、室外表出部材に設けた報知手段によって非常事態を室外に報知できる。
【図面の簡単な説明】
【００２１】
【図１】外観本発明に係る在室確認錠を扉の表裏から見た斜視図である。
【図２】図１に示した室内側のケース及び他方の操作部材の正面図である。
【図３】図２の縦断面図である。
【図４】（ａ）は図３に示したサムターンカバーの背面図、（ｂ）は（ａ）の側面図、（ｃ）はサムターンカバーの正面図である。
【図５】（ａ）は図３に示したマグネットリングの正面図、（ｂ）は（ａ）のＡ−Ａ断面図である。
【図６】マグネットリングとサムターンカバーの分解斜視図である。
【図７】図１に示した在室確認錠の動作を説明するフローチャートである。
【図８】（ａ）はサムターンカバーにより施錠開始された在室確認錠の正面図、（ｂ）は（ａ）の空転間隙を表す透視図である。
【図９】（ａ）はサムターンカバーにより施錠直前となった在室確認錠の正面図、（ｂ）は（ａ）の空転間隙を表す透視図である。
【図１０】（ａ）はサムターンカバーにより施錠状態となった在室確認錠の正面図、（ｂ）は（ａ）の空転間隙を表す透視図である。
【図１１】（ａ）はサムターンカバーにより解錠開始された在室確認錠の正面図、（ｂ）は（ａ）の空転間隙を表す透視図である。
【図１２】（ａ）はサムターンカバーにより解錠途中となった在室確認錠の正面図、（ｂ）は（ａ）の空転間隙を表す透視図である。
【図１３】（ａ）はサムターンカバーにより解錠状態となった在室確認錠の正面図、（ｂ）は（ａ）の空転間隙を表す透視図である。
【図１４】（ａ）は合鍵により施錠状態となった在室確認錠の正面図、（ｂ）は（ａ）の空転間隙を表す透視図である。
【図１５】（ａ）は合鍵により解錠状態となった在室確認錠の正面図、（ｂ）は（ａ）の空転間隙を表す透視図である。
【発明を実施するための形態】
【００２２】
以下、本発明に係る実施形態を図面を参照して説明する。
図１は外観本発明に係る在室確認錠を扉の表裏から見た斜視図、図２は図１に示した室内側のケース及び他方の操作部材の正面図、図３は図２の縦断面図、図４（ａ）は図３に示したサムターンカバーの背面図、（ｂ）は（ａ）の側面図、（ｃ）はサムターンカバーの正面図、図５（ａ）は図３に示したマグネットリングの正面図、（ｂ）は（ａ）のＡ−Ａ断面図、図６はマグネットリングとサムターンカバーの分解斜視図である。
本実施形態は、発明に係る在室確認錠が後付在室確認錠１１である場合を例に説明する。後付在室確認錠１１は、開閉体に設けられた錠装置に後付される。なお、発明に係る在室確認錠は、後述するように一体に構成された一つの製品であってもよい。開閉体とは、例えば扉１３である。このほか、開閉体は、引戸であってもよい。
【００２３】
錠装置は、例えば錠箱１５が扉１３の室内面１７に表出して取り付けられる露出タイプの所謂面付錠１９とすることができる。面付錠１９は、室外表出部材が室外面２１に取り付けられるエスカチオン２３となり、室内表出部材が室内面１７に取り付けられる錠箱１５となる。エスカチオン２３には扉１３に収容されたシリンダ錠２５の鍵孔２７が表出される他、レバーハンドル２９が取り付けられる。鍵孔２７には一方の操作部材である合鍵３１が挿入され、合鍵３１はシリンダ錠２５の内筒を回転させる。シリンダ錠２５は、内筒の回転をテールピース（不図示）を介して錠箱内の施解錠機構３３（図３参照）へ伝える。
【００２４】
錠箱１５には、デッドボルト３５、ラッチボルト３７、一方の操作部材連動部である既存サムターン３９（図３参照）、レバーハンドル２９などが取り付けられる。室内表出部材は、錠箱１５が扉１３に内設される場合には扉１３の室内面１７に表出する座板部分であってもよく、或いは、室内面１７に既存サムターン３９のみ表出するような構成であれば、この既存サムターン３９のカラー部分などとしてもよい。
【００２５】
本実施形態の後付在室確認錠１１は、錠箱１５に取り付けられるケース４１を有する。ケース４１には他方の操作部材であるサムターンカバー４３が回転自在となって突出される。つまり、後付在室確認錠１１では、一方の操作部材がシリンダ錠２５の合鍵３１であり、他方の操作部材が既存サムターン３９に被せられるサムターンカバー４３である。既存サムターン３９は、サムターンカバー４３が被されることで見えなくなる。
従って、錠装置（面付錠１９）は、開閉体（扉１３）の室外面となる表面に設けた一方の操作部材（合鍵３１）及び室内面となる裏面に設けた他方の操作部材（サムターンカバー４３）の回転操作によって施解錠作動する。ケース４１は、サムターンカバー４３の一部（後述のフランジ部）を覆うとともに表示窓部４５を有する。サムターンカバー４３は、既存サムターン３９に被せられることで、外周を摘んで回されることにより既存サムターン３９を回転させる。
【００２６】
サムターンカバー４３は、円柱形、角柱形、または錐台形の輪郭を有する外形状とされる。本実施形態において、サムターンカバー４３は、円柱形の輪郭となる摘み部４７を有し、摘み部４７の外周には円周方向に等間隔の滑り止め凹部４９が形成される。サムターンカバー４３は、従来の翼状摘み部を有さず、円柱形等の輪郭となることで、特定の方向を示さない。これにより、回転位置によって解錠、施錠が連想されないようになされており、また、どの方向からでも確り摘むことが可能となっている。
【００２７】
サムターンカバー４３には図４（ａ）に示す空転間隙５１、つまり、遊びが形成され、空転間隙５１は既存サムターン３９の翼状摘み部を収容する。空転間隙５１は、所謂ダルマ穴形状となる。空転間隙５１は、合鍵３１の回転操作範囲、すなわち、合鍵３１と連動する一方の操作部材連動部である既存サムターン３９の回転操作範囲よりも大きい回転操作範囲を許容する。
【００２８】
より具体的には、横長の空転間隙５１に配置された水平方向の翼状摘み部（既存サムターン３９）は、正逆回転方向にθ１ずつ回転可能となる。すなわち、空転間隙５１は、翼状摘み部に対してθ１＋θ１＝θ２の回転許容範囲、本実施形態では、θ１を約３０°として設定しており、θ２は約６０°とされ、既存サムターン３９の翼状摘み部に対してサムターンカバー４３が約６０°の範囲で回転が許容となっている。
【００２９】
摘み部４７の基端側にはフランジ部５３が張り出して形成される。フランジ部５３の背面には、空転間隙５１を挟んで曲溝状に形成される一対のマグネット係合凹部５７が設けられている。マグネット係合凹部５７には、図５に示すマグネットリング５９の一方の面に突設される一対のガイド兼規制突条６１が、図６に示すようにそれぞれに係合する。マグネット係合凹部５７は、本実施形態では、空転間隙５１を長手方向左右に二分割する線（図４に示す二分割線６３）を境に非対称に形成される。すなわち、図４（ａ）に示す二分割線６３の図中左側が大きな角度θ３で形成され、図中右側が小さな角度θ４で形成される（θ３＞θ４）。マグネット係合凹部５７は、例えばθ３＋θ４＝θ５＝８１°で形成される。なお、摘み部４７の外表面には目視用基準位置表示５５が設けられている（図４（ｃ）参照）。
【００３０】
マグネットリング５９には、一方のガイド兼規制突条６１の近傍に複数、本実施形態では４つのマグネット６５が円周方向に等間隔で内設されている。図５，６に示すように、ガイド兼規制突条６１は、上側ガイド兼規制突条６７が、下側ガイド兼規制突条６９よりも長く形成される。また、上側ガイド兼規制突条６７は、マグネット係合凹部５７の円周方向の長さよりも短く形成されている。すなわち、マグネットリング５９は、サムターンカバー４３に対して所定角度だけ相対回転が可能となっている。この相対回転許容範囲により、サムターンカバー４３が室内側から操作されたときのみ、マグネット６５が後述する施錠検出部にて検知されるようになっている。
【００３１】
フランジ部５３の表面には、図４（ｃ）に示す解錠表示着色部７１が設けられている。解錠表示着色部７１は、例えばシール等の貼着や塗布，塗膜形成などで例えば赤色で設けられる。解錠表示着色部７１は、フランジ部５３の円周方向一部分に設けられ、その他の円周方向の部分は、例えば緑色の施錠表示着色部７３となる。
【００３２】
解錠表示着色部７１は、表示窓部４５から表出し、サムターンカバー４３が空転間隙５１の一方の回転端を、既存サムターン３９に当接して回転したときに円周方向一端７５が表示窓部４５に一致する。また、解錠表示着色部７１は、空転間隙５１の他方の回転端を既存サムターン３９に当接して回転したときに円周方向他端７７が表示窓部４５に一致する。このように、解錠表示着色部７１は、円周方向一端７５から円周方向他端７７までが連続する周長を有した円弧状に形成されている。  
【００３３】
より具体的には、解錠表示着色部７１は、図４（ｃ）に示すように、二分割線６３を境に左右がθ６＝４５°ずつの９０°の角度範囲で形成されている（図中格子模様部分）。なお、この二分割線６３上に前記目視用基準位置表示５５が位置する。
【００３４】
後付在室確認錠１１は、ケース４１に図３に示す回路基板７９を収容している。回路基板７９は、ケース４１に収容される電池８１によって電源が供給される。回路基板７９は、ＣＰＵやメモリによって構成される施錠検出部、計時手段、制御手段を備えている。また、回路基板７９には、面付錠１９の室外表出部材であるエスカチオン２３に設けられる報知手段が電気配線により接続される。さらに、回路基板７９には電池用ＬＥＤ８３が実装され、電池用ＬＥＤ８３は制御手段によって制御され、警告光をレンズ８５を介して外部へ出射して電池残量の少なくなったことを警告する。
【００３５】
施錠検出部は、面付錠１９の室内側からの施錠操作を検出する。施錠検出部には、マグネットリング５９に設けられたマグネット６５を検出する磁気センサとしてのホールＩＣ８７が設けられている。施錠検出部は、サムターンカバー４３による施解錠操作をホールＩＣ８７によって検出する。
【００３６】
計時手段は、施錠検出部の検出に応じ時間の計測を開始し所定時間経過後に時間経過信号を出力する。この計時手段は、制御手段に設けられるタイマー回路とすることができる。
【００３７】
制御手段は、時間経過信号の入力によって報知手段を駆動する。これにより、後付在室確認錠１１は、所定時間が経過すると、報知手段の図１に示す発光表示部８９が点灯或いは点滅して報知を行う。
【００３８】
図７は図１に示した在室確認錠の動作を説明するフローチャートである。
後付在室確認錠１１では、制御手段が駆動されると、室内側にて施錠が行われたか否かが制御手段によって判断される（Ｓ１）。ホールＩＣ８７からのサムターンカバー４３の施錠操作信号が検出されると、制御手段は在室を判定する（Ｓ２）。制御手段は、この施錠操作信号の検出をトリガーとして計時手段の初期化及びカウントを開始する。つまり、室内側において、サムターンカバー４３で施錠すると、在室モードになり、「室内でサムターンカバー４３による施錠操作をした」ということを検知して、タイマーがスタートする（Ｓ３）。制御手段は、タイマーのカウントと同時に、ホールＩＣ８７からの解錠信号を判定している（Ｓ４）。ホールＩＣ８７からの解錠信号が検出されなければカウントが続行される。
【００３９】
制御手段は、所定時間の経過を判定し（Ｓ５）、タイマーのカウントが所定時間となったとき、異常発生と判断し（Ｓ６）、報知手段の発光表示部８９を発光駆動する（Ｓ７）。
なお、制御手段は、この異常発生を信号として外部へ出力する異常出力部（端子）を有していてもよい。これにより、集合住宅等に設けられた管理室の監視装置等へ報知することも可能となる（Ｓ８）。
【００４０】
次に、上記構成を有する後付在室確認錠１１の作用を説明する。
まず、サムターンカバー４３による施錠操作について説明する。
図８（ａ）はサムターンカバー４３により施錠開始された在室確認錠の正面図、（ｂ）は（ａ）の空転間隙５１を表す透視図、図９（ａ）はサムターンカバー４３により施錠直前となった在室確認錠の正面図、（ｂ）は（ａ）の空転間隙５１を表す透視図、図１０（ａ）はサムターンカバー４３により施錠状態となった在室確認錠の正面図、（ｂ）は（ａ）の空転間隙５１を表す透視図である。
後付在室確認錠１１では、サムターンカバー４３による解錠状態から施錠への操作時、サムターンカバー４３が図８の反時計回りに回転開始される。すると、垂直に姿勢していた既存サムターン３９が空転間隙５１の内壁面に当接して、サムターンカバー４３とともに回転する。マグネットリング５９もサムターンカバー４３とともに回転する。
【００４１】
図９に示すように、施錠直前までサムターンカバー４３が回転されると、既存サムターン３９は、施解錠機構３３に設けられている助勢スプリング（不図示）によって水平位置へと付勢されて回転される。この際、サムターンカバー４３の回転が途中で止められても、マグネット６５はホールＩＣ８７の検出範囲となり、計時手段のカウントが開始される。表示窓部４５には、施錠表示着色部７３の緑色が表示されることになる。
【００４２】
図１０に示すように、サムターンカバー４３は、空転間隙５１の内壁面が施錠位置となった既存サムターン３９に当接することで、それ以上の回転が阻止される。この状態が、サムターンカバー４３による施錠操作の完了状態となる。ホールＩＣ８７は、マグネット６５を検出し続ける。デッドボルト３５は突出した状態となる。表示窓部４５には施錠表示着色部７３の緑色が表示される。
【００４３】
次に、サムターンカバー４３による解錠操作について説明する。
図１１（ａ）はサムターンカバー４３により解錠開始された在室確認錠の正面図、（ｂ）は（ａ）の空転間隙５１を表す透視図、図１２（ａ）はサムターンカバー４３により解錠途中となった在室確認錠の正面図、（ｂ）は（ａ）の空転間隙５１を表す透視図、図１３（ａ）はサムターンカバー４３により解錠状態となった在室確認錠の正面図、（ｂ）は（ａ）の空転間隙５１を表す透視図である。
サムターンカバー４３による解錠操作時、サムターンカバー４３は図１１の時計回りに回転開始される。すると、水平に姿勢していた既存サムターン３９が空転間隙５１の内壁面に当接して、サムターンカバー４３とともに回転する。マグネットリング５９もサムターンカバー４３とともに回転する。
【００４４】
図１２に示すように、解錠途中、解錠表示着色部７１の赤色が表示窓部４５に出現する。マグネット６５は、ホールＩＣ８７の検出範囲外へ離反される。デッドボルト３５は、錠箱内へ後退される。
【００４５】
図１３に示すように、面付錠１９は、解錠が完了すると、既存サムターン３９が垂直位置となってそれ以上の回転が阻止される。サムターンカバー４３は、空転間隙５１の内壁面が解錠位置となった既存サムターン３９に当接することで、それ以上の回転が阻止される。この状態が、サムターンカバー４３による解錠操作の完了状態となる。マグネット６５は、ホールＩＣ８７の検出範囲外となる。デッドボルト３５は後退が完了する。表示窓部４５には解錠表示着色部７１の赤色が表示される。
【００４６】
次に、合鍵３１による施錠操作について説明する。
図１４（ａ）は合鍵３１により施錠状態となった在室確認錠の正面図、（ｂ）は（ａ）の空転間隙５１を表す透視図である。
後付在室確認錠１１では、合鍵３１によって施錠操作が行われると、既存サムターン３９が図１４の反時計回りに回転され、空転間隙５１の内壁面が既存サムターン３９によって押圧されて反時計回りに回転される。このとき、既存サムターン３９の回転方向後方側には空転間隙５１が存在する。つまり、合鍵３１による施錠操作時には、空転間隙５１の分、サムターンカバー４３の回転が少なくなる。これにより、マグネット６５は、ホールＩＣ８７に到達せず、合鍵３１による施錠操作時には、施錠検出部は施錠を検出しない。一方、表示窓部４５には、解錠表示着色部７１が離反して施錠表示着色部７３が配置され、室内側からは施錠状態の緑色が確認できるようになる。
【００４７】
次に、合鍵３１による解錠操作について説明する。
図１５（ａ）は合鍵３１により解錠状態となった在室確認錠の正面図、（ｂ）は（ａ）の空転間隙５１を表す透視図である。
後付在室確認錠１１では、合鍵３１によって解錠操作が行われると、既存サムターン３９が図１５の時計回りに回転され、空転間隙５１の内壁面が既存サムターン３９によって押圧されて時計回りに回転される。このとき、既存サムターン３９の回転方向後方側には空転間隙５１が存在する。つまり、合鍵３１による解錠操作時には、空転間隙５１の分、サムターンカバー４３の回転が少なくなる。この回転により、マグネット６５は、ホールＩＣ８７からさらに離反される。一方、表示窓部４５には、施錠表示着色部７３が離反して解錠表示着色部７１が配置され、室内側からは解錠状態の赤色が確認できるようになる。
【００４８】
このように、上記の後付在室確認錠１１では、室内側に配置されるサムターンカバー４３の空転間隙５１に、既存サムターン３９が配置される。サムターンカバー４３は、合鍵３１に対して空転間隙５１の分だけ大きく回転される。サムターンカバー４３には解錠表示着色部７１が所定の周長を有して設けられ、解錠表示着色部７１は表示窓部４５から表出可能となる。サムターンカバー４３が解錠回転すると、空転間隙５１の一方の回転端（内壁面）が既存サムターン３９に当接し、サムターンカバー４３とともに既存サムターン３９が解錠位置まで回転される。この回転が完了したとき、解錠表示着色部７１は、図１３に示すように、円周方向一端７５が表示窓部４５に一致する。これに対し、合鍵３１が解錠回転すると、空転間隙５１の他方の回転端（内壁面）が既存サムターン３９に当接し、サムターンカバー４３とともに既存サムターン３９が解錠位置まで回転される。この回転が完了したとき、解錠表示着色部７１は、図１５に示すように、円周方向他端７７が表示窓部４５に一致する。
【００４９】
サムターンカバー４３が既存サムターン３９を回すときと、既存サムターン３９によりサムターンカバー４３が回されたときとでは、空転間隙５１が存在するため、サムターンカバー４３の回転範囲は異なる。解錠表示着色部７１は、この回転範囲の一端側、他端側にサムターンカバー４３が位置しても表示窓部４５に一致する周長、つまり角度θ６の二倍の範囲で形成された円弧に沿う長さを有している。これにより、合鍵３１、すなわち、既存サムターン３９とサムターンカバー４３との間に空転間隙５１が存在する場合であっても、錠装置の施解錠状態と同一の施錠表示と解錠表示とを色分けによって表示窓部４５に正しく表示させることが可能となっている。
【００５０】
合鍵３１は、シリンダ錠２５の回転操作を可能とする。シリンダ錠２５は、テールピースを介して回転が面付錠１９へ伝えられる。面付錠１９に伝えられた回転は、面付錠１９の室内側に配設される既存サムターン３９へ伝えられる。既存サムターン３９にはサムターンカバー４３が被せられ、サムターンカバー４３は内方に設けられる空転間隙５１に既存サムターン３９を配置させる。つまり、後付在室確認錠１１は、既存サムターン３９を備える面付錠１９と別体で構成が可能となる。また、サムターンカバー４３が円柱形、角柱形、または錐台形の輪郭を有することで、操作の開始時に向きを意識しなくてよくなる。
【００５１】
このように、後付在室確認錠１１によれば、面付錠１９とは別体の製品として後付在室確認錠１１を構成でき、既存の面付錠１９に後付することができる。また、サムターンカバー４３の向きによる判別、すなわち外形状での判断が不要となり、表示窓部４５の色のみによって施錠か解錠かが表示され、混同が生じにくくなって明確な判別ができる。
【００５２】
また、後付在室確認錠１１では、面付錠１９の室内側からの施錠操作が施錠検出部によって検出されると、計時手段が時間の計測を開始する。計時手段は、所定時間が経過すると、時間経過信号を制御手段へ出力する。時間経過信号の入力された制御手段は、室外表出部材に設けられる報知手段を駆動して発報作動させる。
【００５３】
これにより、室内側からの施錠操作のみを検知でき、入室し施錠を行った時間からの計測を開始して、所定時間経過後には、室外表出部材に設けた報知手段によって非常事態を室外に報知できる。
【００５４】
なお、上記実施形態では、在室確認錠が錠装置と別体の後付タイプのものを説明したが、本発明に係る在室確認錠は、一体型の構造であってもよい。この場合、在室確認錠は、合鍵３１がシリンダ錠２５の合鍵３１であり、他方の操作部材が空転間隙５１を有したサムターンとなる。このサムターンの場合も、円柱形、角柱形、または錐台形の輪郭を有することが好ましい。
【００５５】
この在室確認錠では、シリンダ錠２５の回転がテールピースを介して錠装置へ伝えられる。錠装置に伝えられた回転は、錠装置の室内側に配設される一方の操作部材連動部へ伝えられる。一方の操作部材連動部にはサムターンが被せられ、サムターンは内方に設けられる空転間隙５１に一方の操作部材連動部を配置させる。つまり、在室確認錠は、錠装置とサムターンとを含んだ構成となる。また、サムターンが円柱形、角柱形、または錐台形の輪郭を有することで、操作の開始時に向きを意識しなくてよくなる。
【００５６】
この在室確認錠によれば、錠装置や、空転間隙５１の形成されるサムターンを機構の一部に含めた在室確認錠を一つの製品で構成できる。また、サムターンの向きによる判別が不要となり、表示窓部４５の色のみによって施錠か解錠かが表示され、混同が生じにくくなって明確な判別ができる。  
【００５７】
従って、本実施形態に係る後付在室確認錠１１の構造によれば、空転間隙５１が存在する場合であっても室内側から施錠か解錠か判り易くできる。
【符号の説明】
【００５８】
１１…在室確認錠（後付在室確認錠）
１３…開閉体（扉）
１９…錠装置（面付錠）
２３…室外表出部材（エスカチオン）
２５…シリンダ錠
３１…一方の操作部材（合鍵）
３９…一方の操作部材連動部（既存サムターン）
４１…ケース
４３…他方の操作部材（サムターンカバー）
４５…表示窓部
５１…空転間隙
７１…解錠表示着色部
７５…円周方向一端
７７…円周方向他端
【図１】
2014136950.tif 000003
【図２】
2014136950.tif 000004
【図３】
2014136950.tif 000005
【図４】
2014136950.tif 000006
【図５】
2014136950.tif 000007
【図６】
2014136950.tif 000008
【図７】
2014136950.tif 000009
【図８】
2014136950.tif 000010
【図９】
2014136950.tif 000011
【図１０】
2014136950.tif 000012
【図１１】
2014136950.tif 000013
【図１２】
2014136950.tif 000014
【図１３】
2014136950.tif 000015
【図１４】
2014136950.tif 000016
【図１５】
2014136950.tif 000017